(57)【要約】【課題】転送対象である動画や静止画等のデータ群を、一回の操作により、容量の少ない記録媒体へ複製あるいは移動可能なカメラ装置およびデータ転送方法を提供する。【解決手段】この発明のカメラ装置１は、脱着可能もしくは予め内蔵されたＨＤＤ１２２を有し、ＨＤＤよりも少ない記録容量を有し、脱着可能または予め内蔵されたＳＤ記録媒体または外部に接続された記録装置に用意された記録媒体の記録容量に対応する記録容量の新たな記録領域１２２−１（２〜ｎ）をＨＤＤの記録領域内に設け、ＳＤ記録媒体または外部に接続された記録装置の新たな記録領域の記録容量を上限として、設定された新たな記録領域に格納されたデータ群を、その領域に格納されたデータ群を単位としてＳＤ記録媒体または外部に接続された記録装置に用意された記録媒体に、一回の操作により転送可能である。【選択図】  図４
2006311368.tif 000002
【特許請求の範囲】
【請求項１】
光学像を電気信号に変換する撮影手段と、
前記撮影手段によって得られた画像を表示可能な表示手段と、
第１の記録容量を有し、脱着可能または予め内蔵された第１の記録媒体と、
前記第１の記録媒体と同じか、少ない第２の記録容量を有し、脱着可能または予め内蔵された第２の記録媒体と、
前記第１の記録媒体の記録領域内に、前記第２の記録媒体の前記第２の記録容量を上限とする第３の記録容量の第３の記録領域を設定する設定手段と、
前記設定手段により設定された前記第３の記録領域に格納されたデータ群を、前記第３の記録領域に格納されたデータ群を単位として前記第２の記録媒体に転送する転送制御手段と、
を有することを特徴とするカメラ装置。
【請求項２】
前記第３の記録領域の前記第３の記録容量は、前記設定手段により、任意に設定可能であることを特徴とする請求項１記載のカメラ装置。
【請求項３】
前記第３の記録領域に保持されたデータ群は、１回の操作で前記第２の記録媒体に転送されることを特徴とする請求項１または２記載のカメラ装置。
【請求項４】
前記第３の記録領域に保持されたデータ群を、１回の操作で前記第２の記録媒体に転送するための制御信号を出力する専用ボタンが規定されていることを特徴とする請求項１ないし３のいずれかに記載のカメラ装置。
【請求項５】
前記第２の記録媒体は、ネットワークまたはシリアルバスにより接続された外部記録装置を含むことを特徴とする請求項１ないし４のいずれかに記載のカメラ装置。
【請求項６】
前記第１の記録媒体の前記第３の記録領域に記録されたデータ群のサイズをモニタし、前記第３の記録媒体の残り容量が前記第２の記録領域の容量に等しいか、所定の割合に達したことを報知可能であることを特徴とする請求項１ないし３のいずれかに記載のカメラ装置。
【請求項７】
前記ボタンにより前記第２の記録媒体に転送されたデータを前記第１の記録媒体から削除するか否かを任意に選択可能であることを特徴とする請求項４記載のカメラ装置。
【請求項８】
カメラ装置が保持する記録装置内に所定のサイズの転送のための記録領域を確保し、
撮影された画像のデータ群を転送のための記録領域に順に格納し、
転送のための記録領域に格納されたデータ群を、その記録領域内のデータ群を単位として転送可能な転送コマンドにより、一括して転送可能、
としたことを特徴とするデータ転送方法。
【請求項９】
転送コマンドを出力するための専用のコマンド入力が可能であることを特徴とする請求項８記載のデータ転送方法。
【発明の詳細な説明】
【技術分野】
【０００１】
この発明は、静止画や動画を記録可能なカメラ装置において、撮像された画像を、任意の記録装置あるいは記録媒体に転送する方法、ならびにその転送が可能なカメラ装置に関する。
【背景技術】
【０００２】
カメラ装置は、半導体メモリ（メモリカード）やハードディスク装置（ＨＤＤ）等の記録媒体に、静止画や動画を記録可能である。
【０００３】
撮像済み画像は、ユーザによるカメラ装置の操作や、カメラ装置が接続される管理装置（パーソナルコンピュータ）や外部記録装置等からの転送リクエストにより、例えば管理装置内の（あるいは管理装置を介して）容量の大きなＨＤＤや光ディスクもしくはメモリカード等に代表される記録媒体に転送（記録）可能である。
【０００４】
なお、特許文献１には、デジタルスチルカメラにおいて、インターネット経由で画像を転送可能なデジタルカメラ装置が開示されている。
【特許文献１】特開２００４−１６５８５２号公報
【発明の開示】
【発明が解決しようとする課題】
【０００５】
特許文献１に示された画像転送方法では、転送対象である（転送すべき）動画や静止画等のデータ群は、ユーザによる目視等の確認、および取捨選択が必要である。
【０００６】
本発明の目的は、転送対象である（転送すべき）動画や静止画等のデータ群を、ユーザにより予め設定された条件およびサイズに基づいて、一回の操作によって、容量の少ない記録媒体へ複製あるいは移動可能なカメラ装置を提供するものである。
【課題を解決するための手段】
【０００７】
この発明は、上記問題点に基づきなされたもので、光学像を電気信号に変換する撮影手段と、前記撮影手段によって得られた画像を表示可能な表示手段と、第１の記録容量を有し、脱着可能または予め内蔵された第１の記録媒体と、前記第１の記録媒体と同じか、少ない第２の記録容量を有し、脱着可能または予め内蔵された第２の記録媒体と、前記第１の記録媒体の記録領域内に、前記第２の記録媒体の前記第２の記録容量を上限とする第３の記録容量の第３の記録領域を設定する設定手段と、前記設定手段により設定された前記第３の記録領域に格納されたデータ群を、前記第３の記録領域に格納されたデータ群を単位として前記第２の記録媒体に転送する転送制御手段と、を有することを特徴とするカメラ装置、を提供するものである。
【発明の効果】
【０００８】
本発明のカメラ装置は、画像データの記録時に、カメラ装置側の記録媒体（第１の記録媒体）に、転送先である第１の記録媒体よりも容量の少ない第２の記録媒体の容量分を、物理的あるいは仮想的に第１の記録媒体上に確保し、その容量内で第１の記録媒体に画像データを記録することを特徴とする。また、第１の記録媒体に記録された画像データが第２の記録媒体の容量に達した場合、もしくは第２の記録媒体の容量に達することが予測できる場合には、ユーザに対し、その旨を報知でき、第２の記録媒体あるいはカメラ装置に設けられる補助記録媒体へのデータ群の複製または移動を、転送先記録媒体の容量毎に、一回の操作で、複製または移動が可能となる。
【０００９】
従って、カメラ装置からの画像データを、転送先記録媒体の容量に合わせ、簡単な操作で転送可能であり、カメラ装置の操作性が向上される。特に、転送先の記録媒体がカメラ装置から分離された特定の規格の記録媒体を再生可能の再生専用機による再生を考慮したデータ群である場合、再生専用機のみを保有するユーザに要求される再生までの手順も、簡略化できる。
【発明を実施するための最良の形態】
【００１０】
以下、図面を参照して、この発明の実施の形態について詳細に説明する。
【００１１】
図１（ａ）および図１（ｂ）は、本発明が適用可能な動画および静止画ならびに音声等が記録可能なカメラ装置の概略を示す。
【００１２】
図１（ａ）は、電子カメラ装置（撮影装置）１を撮影レンズ側から見た状態を示す。
【００１３】
電子カメラ装置１は、撮像レンズ１１、フラッシュ１２、（静止画撮影用）シャッターボタン１３およびリモコン受信部１４等を有する。電子カメラ装置１はまた、パーソナルコンピュータや、外部電源装置（ＡＣアダプタ）等との接続に利用されるアダプタ接続部（接続端子）１５を有する。
【００１４】
図１（ｂ）は、電子カメラ装置１を、撮像レンズ１１と逆の側から見た状態を示す。
【００１５】
カメラ装置１はまた、主電源スイッチを兼ねるフレーム２１に一体に組み込まれた液晶モニタ（ＬＣＤパネル）２２およびスピーカ２３を有する。電子カメラ装置１はさらに、フレーム２１が閉じられる（電子カメラ装置本体の所定の位置に収容される）位置でオフされる所定の位置に、主電源スイッチ２４を有する。
【００１６】
また、カメラ装置１の所定の位置には、動画の記録（録画）の開始および停止（終了）の指示（制御コマンド）を入力可能な録画ボタン２５、動作モードやさまざまな条件の入力および決定の指示を選択する指示（制御コマンド）を入力可能なジョグ（ＪＯＧ）ダイアル２６、ジョグダイアル２６により選択（ガイド）される指示を確定（実行）するための指示（制御コマンド）を入力可能な決定（ＯＫ）ボタン２７等が設けられている。なお、ＯＫ（決定）ボタン２７は、例えばジョグダイアル２６の回転中心に同軸（同心）状に位置される。
【００１７】
なお、カメラ装置１は、アダプタ接続部１５と接続される詳述しない拡張接続装置（クレードル）２０１を経由して接続される任意台数／複数種類の外部記録装置、例えばＤＶＤ−ＲディスクやＣＤ−Ｒディスクを記録媒体Ｍとする専用の書き込み機器２１１やパーソナルコンピュータ（ＰＣ）２２１と有線もしくは無線によって接続され、カメラ装置１からの転送指示により、カメラ装置１に保持されている画像データ（データ群）が転送可能である（図２参照）。また、後段に詳述するが、カメラ装置１には、カメラ装置１からの転送指示によるカメラ装置１に保持されている画像データ（データ群）を、１回の操作により転送可能とする転送指示装置（「一発転送機構」）が設けられている。
【００１８】
図３は、図１に概要を示したカメラ装置の制御系の一例を示す。
【００１９】
撮像レンズ１１から取り込まれた被写体像は、例えばＣＣＤセンサである撮像素子３１の結像面に結像され、アナログ信号（撮像画像データ）に変換される。被写体像は、撮像素子（ＣＣＤセンサ）３１により、光の明暗に基づいて電気信号に変換され、アナログ−デジタル（Ａ／Ｄ）変換部１０１によりデジタル信号に変換され、（カメラ）信号処理部１０２に入力される。
【００２０】
信号処理部１０２では、Ａ／Ｄ変換部１０１によりデジタル信号に変換された撮像画像データに、例えばガンマ補正、色信号分離、あるいはホワイトバランス調整等の処理が施される。
【００２１】
カメラ信号処理部１０２から出力された撮像画像データは、メモリコントローラ１０３を経由して画像表示処理部１０４に供給される。画像表示処理部１０４は、ビデオインタフェース（Video I/F）／ＯＳＤ（On Screen Display）処理部１０５およびビデオデコーダ（Video Decoder）１０６等を含み、表示出力のための画像信号すなわちビデオ信号を生成する。
【００２２】
ビデオインタフェースおよびＯＳＤ処理部１０５では、フレーム２１にマウントされているＬＣＤパネル（以下、単にＬＣＤと呼称する）２２（図１（ｂ）参照）に対し、図２に概略的に示したような「一発転送」を可能とする信号の入力に利用される『一発転送』アイコン（ボタン）２２−２０１に対応する表示が作成され、合成される。
【００２３】
ビデオデコーダ１０６の出力は、液晶パネル駆動回路（LCD Driver）１０７に入力され、液晶パネル駆動回路１０７により、ＬＣＤパネル２２に、表示される。
【００２４】
カメラ信号処理部１０２から出力された撮像画像データは、記録時においては、圧縮／伸長部１０８で圧縮され、主制御装置（ＣＰＵ）１１１の制御の下で、記録メディアコントローラ１２１を経由して、主記録媒体、例えばハードディスク装置（以下ＨＤＤと略称する）１２２、あるいは付随する取り出し可能な（脱着式の）記録媒体、例えば不揮発性メモリであるメモリカード１２３に記録される。なお、メモリカード１２３は、例えばＳＤカード（登録商標）や、mini−ＳＤ（登録商標）と呼ばれる半導体メモリ（ＳＤ記録媒体）が利用可能である。もちろん、ＨＤＤ１２２に換えて、例えば光ディスクが用いられてもよいことはいうまでもない。また、圧縮／伸長部１０８においては、静止画は、例えばＪＰＥＧ規格等の、動画（非静止画）は、ＭＰＥＧ規格等の、周知の圧縮方式により圧縮される。
【００２５】
なお、ＨＤＤ１２２の容量は、例えば広く普及しているＤＶＤ規格の一回書込型（ＤＶＤ−Ｒ）ディスクの容量に比較して１０倍程度である。従って、ＳＤ記録媒体１２３の記録容量は、ＨＤＤ１２２の容量よりも、現在のところ少ない。
【００２６】
ＨＤＤ１２２またはメモリカード１２３に既に記録されている画像を再生する際には、ＨＤＤ１２２あるいはメモリカード１２３から読み出された画像が圧縮／伸長部１０８において伸長され、メモリコントローラ１０３を通じて、上述の画像表示処理部１０４に供給され、ＬＣＤ２２に表示される。
【００２７】
画像表示処理部１０４においては、詳述しないが、メモリコントローラ１０３に接続されたメインメモリ（メモリ回路例えばＳＤＲＡＭ）１０９およびバッファ（ワーク）メモリ１１０により、画像データの縮小（サムネイル画像の作成）や詳述しないが編集モードにおける編集、画像ファイルの順番の入れ替え等が実行される。
【００２８】
また、バッファメモリ１１０は、１画面分の画像データあるいは複数画面分の画像データを保存することができる。なお、バッファメモリ１１０に保存されている画像データはメモリコントローラ１０３を介して画像表示処理部１０４に入力されるので、ＬＣＤ２２において、逐次再生（モニタ）可能である（画像編集時の状態を確認できる）。
【００２９】
カメラ装置１においてはまた、編集時あるいは撮影時には、音声入出力処理部１３１に接続されたマイク１３２あるいはオーディオ入力端（Audio In）により、音声／オーディオデータを取り込むことができる。音声データは、撮影された画像データと関連付けられて、ＨＤＤ１２２またはメモリカード１２３の所定の領域に記録される。
【００３０】
記録された音声データは、映像（画像）の再生時において、撮像した画像データと同時にＨＤＤ１２２またはメモリカード１２３から読み出され、音声出力として、スピーカ１３３またはオーディオ出力端（Audio Out）に出力される。もちろん、再生時において、スピーカ１３３から出力される音声は、消音（出力レベルを「０」と）することも可能である。
【００３１】
ところで、記録媒体であるＨＤＤ１２２においては、その容量から、静止画を記録可能な画像数および動画を記録する際の記録時間（タイトル数）は、数１００〜数１０００にも及ぶ。このため、記録画像やタイトルの送りや戻しには、高速性が要求される。
【００３２】
従って、ジョグダイアル２６とＯＫボタン２７により、多くの画像やタイトルの選択やさまざまなモードの設定が、ストレスなく処理可能である（多くの画像やタイトルを連続してサーチして特定する際に、ジョグダイアル２６のような操作性の高いスイッチが有益である）。また、ジョグダイアル２６により入力される内容（ユーザによる操作）、あるいはカメラ装置１の動作状態、もしくはメニューボタン２９によるメニュー画面の表示等は、上述したＣＰＵ１１１、メモリ回路１０９、画像表示処理部１０４、ビデオインタフェースおよびＯＳＤ処理部１０５等を介して合成され、ＬＣＤ２２に表示される。
【００３３】
なお、ＯＫ（決定）ボタン２７は、ＣＰＵ１１１に、ボタン２７が押された（オン／オフ信号が入力された）情報を与える。ＣＰＵ１１１は、その情報（ボタン２７）から入力されるオン／オフ信号に基づいて、ジョグダイアル２６により選択されている画像やタイトルあるいはモードを確定し、再生あるいはモードの設定等の処理を実行する。
【００３４】
ジョグダイアル２６は、ＣＰＵ（主制御装置）１１１に、その回転角と回転スピードの情報を与える。ＣＰＵ１１１は、それらの情報から（次の）画像の表示スピード等を制御することが可能である。
【００３５】
また、ＯＫ（決定）ボタン２７は、ジョグダイアル２６の回転中心に同軸（同心）状に位置される。なお、ＯＫ（決定）ボタン２７は、概ね中心（軸方向）に向けて力がかけられた（押された）場合は、上述のオン信号を入力可能で、円周上の円周を概ね４等分した４方向（一般に、「上下左右」と呼称される）のいずれかに力が加えられることで、例えばＬＣＤ２２に表示されている画像を、力が加えられている方向にスクロールさせる制御コマンド（指示）を入力させることができる。
【００３６】
次に本発明のカメラ装置における特徴的な構成及び画像データ処理方法を説明する。
【００３７】
図４は、カメラ装置１のＨＤＤ１２２のデータ記録領域を模式的に示している。
【００３８】
例えば、カメラ装置１においては、予め「ＤＶＤ−Ｒ」ディスク向けの『４．７Ｇバイト』のデータを記録可能な容量に、記録領域１２２−１が区分（ＤＩＭ）されている。もちろん、転送先として想定される記録媒体が、カメラ装置１に着脱可能なメモリカード１２３である場合には、記録領域１２２−１の容量は、ユーザにより用意されたメモリカード１２３と同容量、例えば『２５６Ｍバイト』等に、規定される。また、記録領域１２２−１の容量は、「ＣＤ−Ｒ」ディスク向けの場合には『６５０Ｍバイト』に、現在実用化に達した「ＨＤ  ＤＶＤ」ディスク向けの場合には『１５Ｇバイト』に、それぞれ、設定される。もちろん、記録領域１２２−１を、例えば「ＤＶＤ−Ｒ」ディスク向けとし、記録領域１２２−１に加えて、例えばメモリカード１２３向けに、第２の記録領域１２２−２（もしくはさらに異なる容量の記録媒体向けに、第３以降の記録領域１２２−３〜ｎ）を確保することも可能である。
【００３９】
なお、例えば、カメラ装置１においては、図５に概略的に示すように、ＨＤＤ１２２の記録領域を、想定される記録媒体に合わせて領域分割することなく、仮想的に複製または移動先の記録媒体（１０６，Ｍ，ＭはＤＶＤ−規格やＣＤ−Ｒ規格の光ディスクを含む）の容量に合わせて確保することも可能である。
【００４０】
すなわち、ＨＤＤ１２２の記録領域内に、データベースファイル１２２−Ｄを設け、ＨＤＤ１２２に記録されるデータ群から、複製あるいは移動の対象となるデータ群をデータベースファイル１２２−Ｄに記録する。合わせて、既に記録されているデータ群のデータサイズを記録する。
【００４１】
一方で、複製または移動先の記録媒体に合わせた、仮想的に確保すべき容量（サイズ）を記録し、データ群がデータベースファイル１２２−Ｄに追加されるたびに、容量を計算して、仮想的に確保した容量と比較する。
【００４２】
このように、データベースファイル１２２−ＤをＨＤＤ１２２に用意することで、仮想的に、「一発転送」可能なサイズのデータ領域を確保することができる。
【００４３】
カメラ装置１により撮影（撮像）された画像（動画あるいは静止画）の画像データは、ＨＤＤ１２２の記録領域１２２−１に、所定の規則に従って格納される。なお、記録領域１２２−１には、予め任意の条件の画像データを区分して保持可能に規定された「画像ファイル（フォルダ）」や「アルバム（フォルダの管理単位）」が形成されてもよい。その場合、撮影された画像は、撮影に先だって指定された「フォルダ」や「アルバム」に格納される。
【００４４】
なお、カメラ装置１により撮影（撮像）された画像の合計のサイズが、図４および図５に示したような、カメラ装置１（のＨＤＤ１２２）から別の記録媒体への画像データ群の転送を想定して用意されたサイズの記録領域のサイズと等しいか、その残り容量が所定の割合よりも少なくなった場合には、ビデオインタフェース／ＯＳＤ１０５を通じてカメラ装置１のＬＣＤ２２に、例えば『一発転送領域の記録容量が足りません』または『一発転送領域の画像データを一発転送により移動してください』等のメッセージが表示される。
【００４５】
また、図４および図５に示した記録領域のサイズは、詳述しないが、カメラ装置１における「メニュー画面（さまざまな設定の入力に用いられる）」から、ユーザにより任意に設定される。
【００４６】
詳細には、図６を用いて以下に説明するフローに従って、「一発転送」が可能となる。
【００４７】
図６において、管理装置（パーソナルコンピュータ、以下、ＰＣと示す（図２参照））２２１とカメラ装置１とが、クレードル２０１が介在された状態で、有線もしくは無線により接続され（もしくは既に接続されている状態でクレードル２０１の操作によりカメラ装置１とＰＣ２２１との接続が選択され）ることで、ＰＣ２２１に予めインストールされているアプリケーションソフトであるデバイスディテクタ（Device Detector）が起動される。なお、ＰＣ２２１とカメラ装置１との接続は、例えばＵＳＢによる接続であれば、カメラ装置１のアダプタ接続部１５とＵＳＢケーブルとの接続による接続も可能である。また、ＰＣ２２１は、広く普及しているＤＶＤ−Ｒ規格の光ディスクＭに対して情報を記録可能なディスクドライブユニットを保持しているものとする（Ｓ６０１）。
【００４８】
ステップＳ６０１により、ＰＣ２２１において、カメラ装置１が接続されたことが検出される（Ｓ６０２）。
【００４９】
ステップＳ６０２により、カメラ装置１がＰＣ２２１に接続されたことが検出されるとＰＣ２２１のモニタ装置（表示装置）に、ランチャー画面２２１−１が表示される。
【００５０】
同時に（または、ステップＳ６０２により、カメラ装置１とＰＣ２２１との接続が完了した時点で）、カメラ装置１のＬＣＤ２２には、図２に示したような『一発転送』ボタン２２−２０１が表示される（Ｓ６０３）。
【００５１】
以下、カメラ装置１のＯＫボタン２７（図１（ｂ）参照）が操作され、（ＬＣＤ２２に表示されている）『一発転送』ボタン２２−２０１が「反転表示」され、ＯＫボタン２７がオンされることで、カメラ装置１のＨＤＤ１２２に記録されている画像データ（データ群（予め任意の条件の画像データを区分して保持可能に規定された「画像ファイル（フォルダ）」や「アルバム（フォルダの管理単位）」を含む）のサイズが、ＰＣ２２１または専用書き込み機２１１に出力される。なお、ここでは、ＰＣ２２１へのデータ群の転送について説明する（Ｓ６０４）。
【００５２】
ステップＳ６０４において、転送対象（転送されようとしている）データ群のサイズが出力されることで、ＰＣ２２１において、そのサイズがディスクドライブユニットに用意されている光ディスク（ＤＶＤ−ＲまたはＣＤ−ＲもしくはＨＤ  ＤＶＤ）Ｍの残り記録容量と比較される（Ｓ６０５）。
【００５３】
ステップＳ６０５において比較された光ディスクＭの残り記録容量と（カメラ装置１において）転送されようとしているデータ群のサイズが記録可能なサイズである場合（Ｓ６０５−Ｙｅｓ）、カメラ装置１のＨＤＤ１２２に保持されているデータ群がＰＣ２２１に転送され、ＰＣ２２１に組み込まれているディスクドライブユニットに用意されている光ディスクＭに記録される（書き込まれる）。もちろん、総てのデータ群が１回に転送または書き込まれる必要はなく、ＰＣ２２１により規定された単位でＰＣ２２１の詳述しないキャッシュメモリに転送され、ＰＣ２２１に組み込まれているディスクドライブユニットへの転送レートにより転送されて、光ディスクＭに書き込まれる（Ｓ６０６）。
【００５４】
これに対し、ステップＳ６０５において、カメラ装置１から転送されようとしているデータ群のサイズが予め指定されている種類の１枚の光ディスクＭに記録可能であるが、現在ディスクドライブユニットにセットされている光ディスクＭの残り記録容量よりも大きい場合（Ｓ６０５−Ｎｏ）、例えば『光ディスクＭの記録容量が不足しています』等の、光ディスクＭの交換を要求するメッセージが、ビデオインタフェース／ＯＳＤ１０５を通じて、カメラ装置１のＬＣＤ２２に表示される（Ｓ６０７）。
【００５５】
この場合、例えばＰＣ２２１側のディスクドライブユニットの図示しないイジェクトスイッチの操作あるいはディスクトレイの開閉等がモニタされ、光ディスクＭが交換されたか否かが検知され（Ｓ６０８）、光ディスクＭが交換または再セットされたと判断された場合（Ｓ６０８−Ｙｅｓ）、再びディスクドライブユニットにセットされた光ディスクＭの残り記録容量がチェックされる（Ｓ６０５）。
【００５６】
ステップＳ６０８において、光ディスクＭが交換されたか否かが識別できない場合（Ｓ６０８−Ｎｏ）、例えば所定時間経過後に「一発転送」が（強制的に）終了される。もちろん、終了に先立って、例えば『転送先の光ディスクの記録容量が不足しているため転送を終了します』等のメッセージが、カメラ装置１のＬＣＤ２２に、ＯＳＤ１０５を介して表示されてもよいことはいうまでもない（Ｓ６０９）。
【００５７】
なお、転送には、ＨＤＤ１２２の記録領域１２２−１（１２２−２〜ｎ）において保持されているデータ群を、転送先に転送したのち、記録領域１２２−１（１２２−２〜ｎ）において保持されているデータ群を消去する「移動」と記録領域１２２−１（１２２−２〜ｎ）において保持されているデータ群を、そのまま保持する「複製」とが規定されている。この「移動」と「複製」は、詳述しないが、カメラ装置１における「メニュー画面」から、（ユーザが）任意に設定可能である。
【００５８】
また、ＨＤＤ１２２（カメラ装置１内）に「一発転送」のために確保された領域の容量が、メモリカード（ＳＤ記録媒体）１２３（カメラ装置１内）のサイズである場合には、上述したＰＣ２２１との接続が必要なく、所定のタイミングでカメラ装置１のＬＣＤ２２に表示される『一発転送』ボタン２２−２０１に対するＯＫボタン２７の操作からの転送指示（ＯＫボタン２７のオン）により、カメラ装置１に予め用意されているＳＤ記録媒体１２３に、転送対象のデータ群が転送される。
【００５９】
例えば、図７に示すように、ビデオインタフェース／ＯＳＤ処理部１０５により、表示パネル（ＬＣＤ）２２にバックアップボタン（アイコン）２２−７０１が表示された状態あるいは詳述しないメニュー画面からバックアップが指示される（Ｓ７０１）と、カメラ装置１にＳＤカード１２３が用意されているか否かが判断される（Ｓ７０２）。
【００６０】
ステップＳ７０２において、ＳＤカードが用意されていることが検知できた場合（Ｓ７０２−Ｙｅｓ）、カメラ装置１内で、ＨＤＤ１２２に記録されている画像データ（データ群）のリストファイルが作成される（Ｓ７０３）。
【００６１】
次に、ＨＤＤ１２２から転送されようとしている（転送対象の）データ（データ群）が読み出され、メインメモリ１０９（またはバッファメモリ１１０）に一時的にストアされる（Ｓ７０４）。
【００６２】
続いて、ＳＤカード１２３の残りの記録可能な容量と、転送対象のデータのサイズとが比較され（Ｓ７０５）、残り記録容量が十分である（不足していない）場合（Ｓ７０５−Ｎｏ）、一時的にストアされているＨＤＤ１２２からＳＤカード１２３に、転送対象のデータ（データ群）が転送される。なお、ステップＳ７０４において、バッファメモリ１１０またはメインメモリ１０９に、転送対象のデータが一時的にバッファリングされる必要のない（例えば転送対象のデータサイズが大きくない）場合には、必ずしもバッファリングが必要ないことはいうまでもない（Ｓ７０６）。
【００６３】
以下、転送が終了すると（Ｓ７０７）、ＬＣＤ２２に、例えば『転送が終了しました』等のメッセージが表示される（Ｓ７０８）。
【００６４】
続いて、（カメラ装置１の設定により必ずしも同様のフローである必要はないものの）例えば『転送済みデータをハードディスクから消去（削除）しますか？』等のメッセージが、カメラ装置１のＬＣＤ２２に表示され（Ｓ７０９）、ユーザから『消去（削除）』が指示された場合には（Ｓ７１０−Ｙｅｓ）、転送済みデータがＨＤＤ１２２から削除される（Ｓ７１１）。
【００６５】
なお、ステップＳ７０２において、ＳＤカードが用意されていない場合（Ｓ７０２−Ｎｏ）においては、例えば『ＳＤカードを挿入してください』等のメッセージがＬＣＤ２２に表示される（Ｓ７１２）。また、ステップＳ７０５において、ＳＤカードの残り記録容量が不足している場合（Ｓ７０５−Ｙｅｓ）においては、例えば『ＳＤカードの容量が足りません』等のメッセージがＬＣＤ２２に表示される（Ｓ７１３）。
【００６６】
また、ＨＤＤ１２２（カメラ装置１内）に「一発転送」のために確保された領域の容量が、カメラ装置１に接続可能な専用の書き込み機器２１１に用意された記録媒体の容量に合わせられている場合においても、実質的に、図６に示したフローに従って、一発転送可能であることはいうまでもない。
【００６７】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００６８】
【図１】この発明の実施の形態が適用可能な動画および静止画ならびに音声等が記録可能なカメラ装置の一例を示す概略図。
【図２】図１に示したカメラ装置と接続される外部記録装置の接続例を説明する概略図。
【図３】図１に示したカメラ装置の制御系の一例を説明する概略ブロック図。
【図４】図１および図３に示したカメラ装置の記録領域の構成の一例を示す概略図。
【図５】図１および図３に示したカメラ装置の記録領域の構成の一例を示す概略図。
【図６】図４または図５に示した記録領域に記録されたデータ群の転送方法の一例を説明するフローチャート。
【図７】図４または図５に示した記録領域に記録されたデータ群の転送方法の別の一例を説明するフローチャート。
【符号の説明】
【００６９】
１…カメラ装置、１１…レンズ、２２…ＬＣＤ（表示手段）、２６…ジョグダイアル、２７…決定ボタン、３１…ＣＣＤセンサ（撮像手段）、１０１…アナログ−デジタル変換部、１０２…カメラ信号処理回路、１０３…メモリコントローラ、１０４…画像表示処理部、１０５…ビデオインタフェースおよびＯＳＤ処理部、１０６…ビデオデコーダ、１０７…液晶パネル駆動回路、１０８…圧縮／伸長部、１０９…メモリ回路、１１０…バッファ（ワーク）メモリ、１１１…ＣＰＵ（設定手段、転送制御手段）、１２１…記録メディアコントローラ、１２２…ＨＤＤ（ハードディスク装置、第１の記録媒体、第３の記録領域）、１２３…メモリカード（ＳＤ記録媒体、第２の記録媒体）、２２−２０１…「一発転送」ボタン（表示）。
【図１】
2006311368.tif 000003
【図２】
2006311368.tif 000004
【図３】
2006311368.tif 000005
【図４】
2006311368.tif 000006
【図５】
2006311368.tif 000007
【図６】
2006311368.tif 000008
【図７】
2006311368.tif 000009